(57)【要約】【課題】  デカール装置のコンパクト化を図ることができる。【解決手段】  デカール装置２０のデカールローラ２２は、ロール紙ホルダ２１ｂから引き出された印刷用紙２４のカールを矯正する軸回転可能な部材であり、円筒状に巻かれたロール紙２１の円筒面に常に接触するようにロール紙軸２１ａの近傍とローラ軸２２aとに架設された引っ張りバネ２３ｂによって付勢され、ロール紙２１の残量が少なくなるにつれてロール紙軸２１ａに近づくように移動する。また、デカールローラ２２は、ロール紙２１の残量が少なくなるにつれて、支持部材２３ａに設置されたガイドレール２３ｃによってロール紙軸２１ａから偏心した位置に向かって直線的に、印刷用紙２４とデカールローラ２２との接触面積および接触する∠ＰＱＲが大きくなるように移動する。【選択図】        図４
2005075618.tif 000002
【特許請求の範囲】
【請求項１】
円筒状に巻かれたロール紙を軸回転可能に保持するロール紙保持部と、
前記ロール紙保持部から引き出されたロール紙を搬送する搬送ローラと、
前記ロール紙保持部から引き出されたロール紙と接触してカールを解く方向に張力を付与するカール矯正部と、
前記円筒状に巻かれたロール紙の円筒面に略接触するように前記カール矯正部を付勢し前記ロール紙の残量が少なくなるにつれて前記カール矯正部を前記ロール紙の軸に近づくように移動させる移動機構と、
を備えたデカール装置。
【請求項２】
前記カール矯正部は、軸回転可能なデカールローラである、
請求項１に記載のデカール装置。
【請求項３】
前記移動機構は、前記カール矯正部と前記ロール紙の軸又はその近傍との間に架設された引っ張りバネである、
請求項１又は２に記載のデカール装置。
【請求項４】
前記移動機構は、前記カール矯正部を前記ロール紙の軸に向かって付勢する付勢部材と、前記カール矯正部を前記ロール紙の軸に近づくように移動させるガイドレールとを備えた機構である、
請求項１又は２に記載のデカール装置。
【請求項５】
前記移動機構は、前記ロール紙の残量が少なくなるにつれて前記ロール紙と前記カール矯正部との接触面積が大きくなるように前記カール矯正部を前記ロール紙の軸に近づくように移動させる、
請求項１〜４のいずれかに記載のデカール装置。
【請求項６】
前記移動機構は、前記ロール紙の残量が少なくなるにつれて、前記ロール紙保持部から引き出されたロール紙が前記カール矯正部と接触し始める位置Ｐと前記カール矯正部の中心位置Ｑと前記ロール紙が前記カール矯正部と離間し始める位置Ｒとを結び前記ロール紙と前記カール矯正部とが接する側の∠ＰＱＲが大きくなるように前記カール矯正部を前記ロール紙の軸に近づくように移動させる、
請求項１〜５のいずれかに記載のデカール装置。
【請求項７】
前記移動機構は、前記カール矯正部を前記ロール紙の軸に向かって前記カール矯正部を移動させる、
請求項１〜６のいずれかに記載のデカール装置。
【請求項８】
前記移動機構は、前記カール矯正部を前記ロール紙の軸から偏心した位置に向かって前記カール矯正部を前記ロール紙の軸に近づくように移動させる、
請求項１〜６のいずれかに記載のデカール装置。
【請求項９】
前記移動機構は、前記カール矯正部を直線的に移動させる、
請求項１〜８のいずれかに記載のデカール装置。
【請求項１０】
前記移動機構は、前記カール矯正部から前記搬送ローラに前記ロール紙が搬送される方向と前記搬送ローラから前記ロール紙が搬出される方向とが略同じ一定方向となるようにし前記カール矯正部を前記ロール紙の搬送方向と略平行で且つ前記ロール紙の軸に近づくように移動させる、
請求項９に記載のデカール装置。
【請求項１１】
請求項１〜１０に記載のデカール装置であって、
前記カール矯正部が前記引き出されたロール紙と接触してカールを解く方向に張力を付与する矯正位置と前記カール矯正部が前記引き出されたロール紙に張力を付与しない非矯正位置とのいずれかに前記カール矯正部を位置決めする位置決め機構、
を備えたデカール装置。
【請求項１２】
請求項１〜１１のいずれかに記載のデカール装置を備えた印刷装置。
【発明の詳細な説明】
【技術分野】
【０００１】
本発明は、デカール装置及び印刷装置に関する。
【背景技術】
【０００２】
従来、記録用のロール紙を印刷媒体として用いた印刷装置に使用されるデカール装置としては、ロール紙の残量が少なくなるにつれてカール（巻き癖）を適切に矯正可能とするものが提案されている（例えば、特許文献１参照）。この特許文献１に記載されたデカール装置５０（図７参照）では、デカールローラ５２２を支持する支持部材５２２ａが回動軸５２２ｂに回転可能に取り付けられ、この回動軸５２２ｂにほぼ一定のトルクを伝達する図示しないトルククラッチが取り付けられている。そして、ロール紙５２１の残量が少なくなったとき（図７の一点鎖線参照）、トルククラッチが回動軸５２２ｂを回転させてデカールローラ５２２をロール紙５２１に押しつける方向（図７の矢印Ｆの方向）に移動させることによりデカールローラ５２２を通過するロール紙５２１のカールを矯正する。
【特許文献１】特開平９−０２５０３６号公報（図７）
【発明の開示】
【発明が解決しようとする課題】
【０００３】
しかしながら、特許文献１に記載されたデカール装置５０では、ロール紙５２１の残量が少なくなるにつれてデカールローラ５２２が回動軸５２２ｂを中心に回動するため、ロール紙５２１と搬送ローラ５２５の間にはこのデカールローラ５２２が回動する空間を確保する必要があった。このため、装置全体を十分にコンパクト化することができなかった。
【０００４】
本発明は、このような課題に鑑みなされたものであり、コンパクト化を図ることができるデカール装置及び印刷装置を提供することを目的の一つとする。
【課題を解決するための手段】
【０００５】
本発明のデカール装置及び印刷装置は、上述の目的を達成するために以下の手段を採った。
【０００６】
本発明のデカール装置は、
円筒状に巻かれたロール紙を軸回転可能に保持するロール紙保持部と、
前記ロール紙保持部から引き出されたロール紙を搬送する搬送ローラと、
前記ロール紙保持部から引き出されたロール紙と接触してカールを解く方向に張力を付与するカール矯正部と、
前記円筒状に巻かれたロール紙の円筒面に略接触するように前記カール矯正部を付勢し前記ロール紙の残量が少なくなるにつれて前記カール矯正部を前記ロール紙の軸に近づくように移動させる移動機構と、
を備えたものである。
【０００７】
このデカール装置では、デカールローラが円筒状に巻かれたロール紙の円筒面に略接触しているため、ロール紙の残量が少なくなり円筒状に巻かれたロール紙の半径が小さくなったときにはそのロール紙の半径に追従して移動しながらロール紙のカールを矯正する。したがって、ロール紙のカールを矯正する際にカール矯正部が回動するような空間を必要としないため、コンパクト化を図ることができる。
【０００８】
本発明のデカール装置において、前記カール矯正部は、軸回転可能なデカールローラであってもよい。こうすれば、ロール紙を痛めずにカールを矯正しやすい。
【０００９】
本発明のデカール装置において、前記移動機構は、前記カール矯正部と前記ロール紙の軸又はその近傍との間に架設された引っ張りバネであってもよい。また、前記移動機構は、前記カール矯正部を前記ロール紙の軸に向かって付勢する付勢部材と、前記カール矯正部を前記ロール紙の軸に近づくように移動させるガイドレールとを備えた機構であってもよい。こうすれば、比較的簡単な構造でカール矯正部をロール紙の軸に近づくように移動させることができる。
【００１０】
本発明のデカール装置において、前記移動機構は、前記ロール紙の残量が少なくなるにつれて前記ロール紙と前記カール矯正部との接触面積が大きくなるように前記カール矯正部を前記ロール紙の軸に近づくように移動させてもよい。こうすれば、ロール紙の内側ほどカールがきついため、ロール紙の残量が少なくなるにつれてカール矯正部との接触面積を大きくなるようにして、より適切にカールを矯正することができる。
【００１１】
本発明のデカール装置において、前記移動機構は、前記ロール紙の残量が少なくなるにつれて、前記ロール紙保持部から引き出されたロール紙が前記カール矯正部と接触し始める位置Ｐと前記カール矯正部の中心位置Ｑと前記ロール紙が前記カール矯正部と離間し始める位置Ｒとを結び前記ロール紙と前記カール矯正部とが接する側の∠ＰＱＲが大きくなるように前記カール矯正部を前記ロール紙の軸に近づくように移動させてもよい。こうすれば、ロール紙の内側ほどカールがきついため、ロール紙の残量が少なくなるにつれてカール矯正部とロール紙との接触する∠ＰＱＲを大きくなるようにして、より適切にカールを矯正することができる。
【００１２】
本発明のデカール装置において、前記移動機構は、前記カール矯正部を前記ロール紙の軸に向かって前記カール矯正部を移動させてもよいし、前記移動機構は、前記カール矯正部を前記ロール紙の軸から偏心した位置に向かって前記カール矯正部を前記ロール紙の軸に近づくように移動させてもよい。こうしても、本発明の効果が得られる。
【００１３】
本発明のデカール装置において、前記移動機構は、前記カール矯正部を直線的に移動させてもよい。こうすれば、カール矯正部が直線上の軌跡で移動するため、よりコンパクト化を図ることができる。
【００１４】
本発明のデカール装置において、前記移動機構は、前記カール矯正部から前記搬送ローラに前記ロール紙が搬送される方向と前記搬送ローラから前記ロール紙が搬出される方向とが略同じ一定方向となるようにし前記カール矯正部を前記ロール紙の搬送方向と略平行で且つ前記ロール紙の軸に近づくように移動させてもよい。こうすれば、ロール紙の残量が少なくなるにつれてカール矯正部がロール紙の軸に近づいたとしてもロール紙はカール矯正部から搬送ローラに搬出されるまで一定方向となるため、カール矯正後のロール紙が搬送ローラによってカールしてしまうことがない。
【００１５】
本発明のデカール装置は、前記カール矯正部が前記引き出されたロール紙と接触してカールを解く方向に張力を付与する矯正位置と前記カール矯正部が前記引き出されたロール紙に張力を付与しない非矯正位置とのいずれかに前記カール矯正部を位置決めする位置決め機構、を備えていてもよい。こうすれば、デカール装置の不使用時などに位置決め機構によってカール矯正部を張力を付与しない非矯正位置にしておくことにより、待機カール（待機時にカール矯正部によってロール紙がカールしてしまうこと。）を防止することができる。
【００１６】
本発明の印刷装置は、上述したデカール装置を備えたものである。デカール装置は印刷装置（プリンタ、コピー機、ファクシミリ機等を含む）に通常用いられるため、本発明を適用する意義が大きい。
【発明を実施するための最良の形態】
【００１７】
次に、本発明を実施するための最良の形態を実施例を用いて説明する。
【実施例】
【００１８】
図１は、本発明の一実施例である印刷装置１０の構成の概略を示す構成図である。本実施例の印刷装置１０は、図１に示すように、デカール装置２０に回転可能に保持されたロール紙２１を搬送ローラ２５，２５により給紙し、インクカートリッジ１３の印刷ヘッド１４からインクを吐出して印刷を行うインクジェット方式の印刷装置である。
【００１９】
図２はデカール装置２０の分解斜視図であり、図３はデカール装置２０を側面から見た模式図である。デカール装置２０は、ロール紙２１、ロール紙ホルダ２１ｂ、デカールローラ２２、移動機構２３及び搬送ローラ２５によって構成されている。ロール紙２１は、ロール紙軸２１ａに印刷媒体である印刷用紙２４を時計回りに円筒状に巻いたものである。なお、説明の便宜のため、円筒に巻かれた用紙をロール紙２１とし、ロール紙２１の円筒面から引き出された用紙を印刷用紙２４とする。
【００２０】
ロール紙ホルダ２１ｂは、左右からロール紙２１を挟んで印刷装置１０に固定しロール紙軸２１ａを中心としてロール紙２１を軸回転可能に保持しロール紙２１の円筒面から印刷用紙２４を引き出し可能とする樹脂製の固定具である。このロール紙ホルダ２１ｂは、ロール紙２１の交換などの際に、ロール紙２１及びロール紙ホルダ２１ｂごと印刷装置１０から取り外すことができる。
【００２１】
デカールローラ２２は、ロール紙ホルダ２１ｂから引き出された印刷用紙２４と接触してカールを解く方向に張力を付与するローラであり、ローラ軸２２ａを中心として軸回転可能且つ移動可能に支持部材２３ａに保持されている。なお、このデカールローラ２２は、円筒状のロール紙２１の円筒面に常に接触してロール紙２１から引き出された印刷用紙２４のカールの矯正を行う。
【００２２】
移動機構２３は、印刷装置１０に固定される固定器具２３ｄと、この固定器具２３ｄに支持される略三角形状の支持部材２３ａと、デカールローラ２２のローラ軸２２ａをロール紙２１のロール紙軸２１ａに向かって付勢する引っ張りバネ２３ｂなどによって構成される（図２参照）。
【００２３】
固定器具２３ｄは、印刷装置１０に向かって延び出した脚部によって印刷装置１０の底面にビス止めされて固定される。この固定器具２３ｄは、上部に有する通孔２３ｈが、ロール紙２１のロール紙軸２１ａの延長線上に位置するように形成されている。また、固定器具２３ｄは、支持部材２３ａに向かって形成された可撓性の係止爪２３ｆを有しており、この係止爪２３ｆは固定器具２３ｄの外側面に突き出した爪把持部を上下に動かすことにより上下動する。
【００２４】
支持部材２３ａは、底辺に沿って水平方向に延びるガイドレール２３ｃを有すると共に固定器具２３ｄの係止爪２３ｆを引っ掛けたり外したりすることができる引っ掛け部２３ｇを有し、更に底辺と対向する頂点に通孔２３ｉを有する。支持部材２３ａは、この通孔２３ｉが固定器具２３ｄの通孔２３ｈに引っ張りバネ２３ｂの一端を挟み込んだ状態でビス止めされると共に引っ掛け部２３ｇが固定器具２３ｄの係止爪２３ｆに引っ掛けられることにより、固定器具２３ｄに所定の姿勢（後述の矯正位置）で位置決めされる。なお、固定器具２３ｄの係止爪２３ｆを支持部材２３ａの引っ掛け部２３ｇから外せば支持部材２３ａは、通孔２３ｉを中心として回転可能となる。
【００２５】
引っ張りバネ２３ｂは、その一端が上述したとおり支持部材２３ａの通孔２３ｉと固定器具２３ｄの通孔２３ｈ（つまりロール紙２１のロール紙軸２１ａの近傍）で挟み込んだ状態でビス止めされている。一方、他端は、ガイドレール２３ｃに嵌め込まれたデカールローラ２２のローラ軸２２ａに引っ掛けられた状態で架設されている。この結果、デカールローラ２２は、引っ張りバネ２３ｂによりロール紙軸２１ａに向かって付勢されてガイドレール２３ｃをロール紙軸２１ａに近づくように、具体的にはロール紙軸２１ａから下方に偏心した位置に向かって移動可能となる。また、デカールローラ２２は、印刷用紙２４と接触してこの印刷用紙２４に対して引っ張りバネ２３ｂによりカールを解く方向の張力を付与する。なお、引っ張りバネ２３ｂは、印刷用紙２４が搬送ローラ２５，２５によって搬送方向に引き出され、デカールローラ２２の移動方向と逆（図３の矢印Ａと逆方向）の力が付与されてもロール紙２１とデカールローラ２２とが常に接触するようなバネ力に設定されている。
【００２６】
搬送ローラ２５は、図示しないモータによって回転駆動され、２つのローラのニップ部２５ａで印刷用紙２４を狭圧し、ロール紙２１から引き出された印刷用紙２４をデカールローラ２２を介して印刷ヘッド１４までローラの回転力により搬送するゴム製のローラである。本実施例の印刷装置１０では、デカールローラ２２から搬送ローラ２５，２５のニップ部２５ａまでの印刷用紙２４の搬送方向（図３の矢印Ｂ方向）と搬送ローラ２５，２５から搬出される印刷用紙２４の搬出方向（図３の矢印Ｃ方向）とが略同じ一定方向となるように、また、これらの搬送方向はデカールローラ２２の移動方向（図３の矢印Ａ方向）と平行になるように構成されている。
【００２７】
次に、こうして構成された本実施例のデカール装置２０の動作について、図４を用いて説明する。まず、ロール紙２１の残量が多いときは、図４の実線で示すように、ロール紙２１の円筒面とデカールローラ２２とが接触する位置Ｐから印刷用紙２４が引き出され、この位置Ｐからデカールローラ２２と印刷用紙２４が接触し始める。そして、デカールローラ２２に接触した印刷用紙２４がニップ部２５ａの方向を向く位置Ｒからデカールローラ２２と印刷用紙２４が離間し始める。したがって、デカールローラ２２は、その外周面の位置Ｐから位置Ｒまで印刷用紙２４と接触するため、円弧ＰＲの長さと印刷用紙２４の幅Ｌを積算した接触面積Ｓの分だけカールを矯正する。また、デカールローラ２２と印刷用紙２４とが接触する角度をみると位置Ｐとデカールローラ２２の中心位置Ｑと位置Ｒとを結ぶ線のなす∠ＰＱＲ（デカールローラ２２と印刷用紙２４とが接触する側になす角をいう。以下同じ）つまりθ１の分だけカールを矯正する。
【００２８】
そして、ロール紙２１を使用して印刷装置１０により印刷を行い、ロール紙２１の残量が少なくなるにつれて、デカールローラ２２は、ロール紙２１の円筒面に接触しながら、ガイドレール２３ｃに沿ってロール紙軸２１ａに近づくように（図４のＡ方向）に徐々に移動していく。このとき、デカールローラ２２と印刷用紙２４との接触面積Ｓ及び∠ＰＱＲは、ロール紙２１の残量が少なくなるにつれて共に徐々に増加していく。なお、本実施例のデカール装置２０では、デカールローラ２２から離間した印刷用紙２４はデカールローラ２２が移動しても、デカールローラ２２からニップ部２５ａ、印刷ヘッド１４を介し印刷装置１０から搬出されるまで印刷用紙２４の搬送方向が常に同じ一定方向となる（図１参照）。
【００２９】
さて、ロール紙２１の残量が最も少なくなったときは、図４の一点鎖線で示すように、デカールローラ２２は、その外周面の位置Ｐから位置Ｒまで印刷用紙２４に接触するため、円弧ＰＲの長さと印刷用紙２４の幅Ｌを積算した接触面積Ｓの分カールを矯正する。このとき、接触面積Ｓは最も大きな値となる。また、デカールローラ２２と印刷用紙２４とが接触する∠ＰＱＲも最大の角度θ２となりこの角度θ２の分カールを矯正する。したがって、本実施例のデカール装置２０では、ロール紙２１の残量が少なくなりカールがきつくなるにつれてデカールローラ２２を移動させデカールローラ２２と印刷用紙２４との接触面積及び接触する角度を増加させてロール紙２１のカールを適正に矯正することができる。
【００３０】
また、デカール装置２０は、支持部材２３ａの引っ掛け部２３ｇに係止された固定器具２３ｄの係止爪２３ｆを外してロール紙２１から引き出された印刷用紙２４に張力を付与する矯正位置と印刷用紙２４に張力を付与しない非矯正位置とのいずれかにデカールローラ２２をロール紙２１の巻き方向と逆方向（図３の矢印Ｄの方向）に回転移動させ位置決めをすることができる。そして、このようにデカールローラ２２を回転移動させてロール紙２１の取り替えのじゃまにならない位置（図３の点線で描かれた支持部材２３ａの位置など）までデカールローラ２２を移動させることができる。
【００３１】
ここで、本実施例の構成要素と本発明の構成要素との対応関係を明らかにする。本実施例のロール紙ホルダ２１ｂが本発明のロール紙保持部に相当し、デカールローラ２２がカール矯正部に相当し、引っ張りバネ２３ｂが付勢部材に相当し、引っ掛け部２３ｇ及び係止爪２３ｆが位置決め機構に相当する。
【００３２】
以上詳述した本実施例のデカール装置２０によれば、デカールローラ２２は、円筒状に巻かれたロール紙２１の円筒面に常に接触しているため、ロール紙２１の残量が少なくなり円筒状に巻かれたロール紙２１の半径が小さくなったときにはそのロール紙２１の半径に追従して移動しながらロール紙２１のカールを矯正する。したがって、ロール紙２１のカールを矯正する際にデカールローラ２２が回動するような空間を必要としないため、コンパクト化を図ることができる。
【００３３】
また、カールを矯正する部材が軸回転可能なデカールローラ２２であるため、印刷用ロール紙を痛めずにカールを矯正しやすい。
【００３４】
更に、移動機構２３は、デカールローラ２２のローラ軸２２aとロール紙２１のロール紙軸２１ａの近傍とに架設された引っ張りバネ２３ｂ及び支持部材２３ａに設置されたガイドレール２３ｃを備えたものであるため、比較的簡単な構造でデカールローラ２２をロール紙軸２１ａに向かって移動させることができる。
【００３５】
更にまた、支持部材２３ａは、ロール紙２１の残量が少なくなるにつれてロール紙２１とデカールローラ２２との接触面積が大きくなるようにデカールローラ２２をロール紙軸２２ａに近づくように移動させるため、ロール紙の残量が少なくなるにつれてカール矯正部との接触面積を大きくなるようにして、より適切にカールを矯正することができる。
【００３６】
そして、ロール紙２１の残量が少なくなるにつれて、ロール紙２１から引き出された印刷用紙２４がデカールローラ２２と接触し始める位置Ｐとデカールローラ２２の中心位置Ｑとロール紙２１とがデカールローラ２２と離間し始める位置Ｒとを結ぶ線のなす∠ＰＱＲが大きくなるように前記カール矯正部を前記ロール紙の軸に近づくように移動させるため、ロール紙２１の残量が少なくなるにつれてデカールローラ２２とロール紙２１との接触する∠ＰＱＲを大きくなるようにして、より適切にカールを矯正することができる。
【００３７】
そしてまた、ガイドレール２３ｃは、デカールローラ２２をロール紙軸２１ａから偏心した位置に向かって直線的に移動させるため、デカールローラ２２が直線上の軌跡で移動するため、よりコンパクト化を図ることができる。
【００３８】
そして更に、移動機構２３は、印刷用紙２４が搬送されるＢ方向とＣ方向（図４参照）とが略同じ一定方向となるようにしデカールローラ２２をロール紙軸２１ａに近づくように印刷用紙２４と略平行に移動させるため、デカール装置５０（図７参照）等の構成と異なり、ロール紙２１の残量が少なくなるにつれてデカールローラ２２がロール紙軸２１ａに近づいたとしても印刷用紙２４はデカールローラ２２から搬送ローラ２５に搬出されるまで一定方向となるため、カール矯正後の印刷用紙２４が搬送ローラ２５によってカールしてしまうことがない。
【００３９】
そして更にまた、支持部材２３ａの引っ掛け部２３ｇ及び固定器具２３ｄの係止爪２３ｆによって、デカールローラ２２が印刷用紙２４と接触してカールを解く方向に張力を付与する矯正位置かデカールローラ２２が印刷用紙２４に張力を付与しない非矯正位置かのいずれかに位置決めすることができるため、デカール装置２０の不使用時などに支持部材２３ａの引っ掛け部２３ｇに係止された固定器具２３ｄの係止爪２３ｆを外してデカールローラ２２を非矯正位置（例えば、図３の点線参照）にしておくことにより、待機カールを防止することができる。このときに、ロール紙２１の取り替えのじゃまにならない位置までデカールローラ２２を回転移動させることもできるため、ロール紙２１の装着が容易である。
【００４０】
なお、本発明は上述した実施例に何ら限定されることはなく、本発明の技術的範囲に属する限り種々の態様で実施し得ることはいうまでもない。
【００４１】
例えば、上述した実施例では、デカールローラ２２をロール紙軸２１ａから偏心した位置に向かって移動させるとしたが、ガイドレールをロール紙２１の半径方向に沿って設けることによりデカールローラ２２をロール紙軸２１ａに向かって移動させてもよい。あるいは、図５に示すように、デカールローラ３２２をロール紙軸２１ａに向かって移動させてもよい。こうしても、デカールローラ３２２が回動するような空間は必要としないため、コンパクト化を図ることができる。この態様を採用したデカール装置３０では、デカールローラ３２２が移動しても、デカールローラ３２２と印刷用紙２４との接触面積Ｓ及び∠ＰＱＲは減少することがない。この態様を採用した場合、図示しない引っ張りバネは、ロール紙軸２１ａ又はその近傍とデカールローラ３２２のローラ軸３２２ａとに架設してもよいし、図示しない支持部材及びガイドレール３２３ｃを不要としてもよい。
【００４２】
また、上述した実施例では、デカールローラ２２を直線的に移動させるとしたが、折線的や曲線的に移動させてもよい。こうしても、デカールローラが回動するような空間は必要としないため、コンパクト化を図ることができる。ここで、図６に、当初はロール紙軸２１ａの方向に向かい屈曲点からロール紙軸２１ａから偏心した位置に向かって折線的にデカールローラ４２２を移動させる態様（図６の矢印Ｅの方向）を採用したデカール装置４０を示す。デカール装置４０において、デカールローラ４２２がロール紙軸２１ａに向かって移動するときは、デカールローラ４２２と印刷用紙４２４との接触面積Ｓ及び∠ＰＱＲは一定となり、屈曲点以降デカールローラ４２２が移動するときは、接触面積Ｓ及び∠ＰＱＲは増加する。このように、デカールローラ４２２の移動方向を変化させることによってデカールローラ４２２と印刷用紙４２４との接触面積及び∠ＰＱＲの変化をコントロールすることもできる。この態様を採用した場合、図示しない引っ張りバネは、ロール紙軸２１ａの近傍とデカールローラ４２２のローラ軸３２２ａとに架設してもよい。
【００４３】
更に、上述した実施例では、デカールローラ２２は、ロール紙２１の円筒面に常に接触しているとしたが、若干のクリアランス（例えば１ｍｍなど）を設けてもよい。
【００４４】
更にまた、上述した実施例では、印刷装置１０は、インクジェット式の印刷装置であるとしたが、特にこれに限定されず、感熱紙式、レーザ式又はドットプリンタなどであってもよいし、印刷装置は、プリンタ、コピー機、ファクシミリ機等であってもよい。
【図面の簡単な説明】
【００４５】
【図１】本実施例の印刷装置１０の構成図である。
【図２】本実施例のデカール装置２０の分解斜視図である。
【図３】本実施例のデカール装置２０の構成図である。
【図４】本実施例のデカール装置２０の説明図である。
【図５】本実施例のデカール装置３０の説明図である。
【図６】本実施例のデカール装置４０の説明図である。
【図７】デカール装置５０の説明図である。
【符号の説明】
【００４６】
１０  印刷装置、１３  インクカートリッジ、１４  印字ヘッド、２０  デカール装置、２１  ロール紙、２１ａ  ロール紙軸、２１ｂ  ロール紙ホルダ、２２  デカールローラ、２２ａ  ローラ軸、２３  移動機構、２３ａ  支持部材、２３ｂ  引っ張りバネ、２３ｃ  ガイドレール、２３ｄ  固定器具、２３ｆ  係止爪、２３ｇ  引っ掛け部、２３ｈ通孔、２３ｉ  通孔、２４  印刷用紙、２５  搬送ローラ、２５ａニップ部、３０  デカール装置、３２２  デカールローラ、３２２ａ  ローラ軸、３２２ｃ  ガイドレール、４０  デカール装置、４２２  デカールローラ、４２２ａ  ローラ軸、４２２ｃ  ガイドレール、４２４  印刷用紙、５０  デカール装置。５２１  ロール紙、５２１ａ  ロール紙軸、５２２  デカールローラ、５２２ａ  支持部材、５２２ｂ  回動軸。
【図１】
2005075618.tif 000003
【図２】
2005075618.tif 000004
【図３】
2005075618.tif 000005
【図４】
2005075618.tif 000006
【図５】
2005075618.tif 000007
【図６】
2005075618.tif 000008
【図７】
2005075618.tif 000009